(57)【要約】【課題】大口径でありながら諸収差が良好に補正された４枚構成の撮像レンズを提供する。【解決手段】撮像レンズＬＮは、物体側から順に、物体側に凹面を向けた負の第１レンズＬ１と、正の第２レンズＬ２と、絞りＳＴと、両凸の正の第３レンズＬ３と、第３レンズＬ３に接合された負の第４レンズＬ４と、から成り、条件式ｎｄ２−ｎｄ１＞０．１（ｎｄ１：第１レンズＬ１の屈折率、ｎｄ２：第２レンズＬ２の屈折率）を満たす。【選択図】図１
2013120193.tif 000002
【特許請求の範囲】
【請求項１】
物体側から順に、物体側に凹面を向けた負のパワーを持つ第１レンズと、正のパワーを持つ第２レンズと、絞りと、両凸の正のパワーを持つ第３レンズと、前記第３レンズに接合された負のパワーを持つ第４レンズと、から成り、以下の条件式（１）を満たすことを特徴とする撮像レンズ；
ｎｄ２−ｎｄ１＞０．１  …（１）
ただし、
ｎｄ１：第１レンズの屈折率、
ｎｄ２：第２レンズの屈折率、
である。
【請求項２】
前記第１レンズと前記第２レンズとが接合されていることを特徴とする請求項１記載の撮像レンズ。
【請求項３】
以下の条件式（２）を満たすことを特徴とする請求項１又は２記載の撮像レンズ；
νｄ３−νｄ４＞７  …（２）
ただし、
νｄ３：第３レンズのアッベ数、
νｄ４：第４レンズのアッベ数、
である。
【請求項４】
以下の条件式（３）を満たすことを特徴とする請求項１〜３のいずれか１項に記載の撮像レンズ；
０．８＜ｆ１２／ｆ３４＜１６  …（３）
ただし、
ｆ１２：第１レンズと第２レンズの合成焦点距離、
ｆ３４：第３レンズと第４レンズの合成焦点距離、
である。
【請求項５】
請求項１〜４のいずれか１項に記載の撮像レンズと、撮像面上に形成された光学像を電気的な信号に変換する撮像素子と、を備え、前記撮像素子の撮像面上に被写体の光学像が形成されるように前記撮像レンズが設けられていることを特徴とする撮像光学装置。
【請求項６】
請求項５記載の撮像光学装置を備えることにより、被写体の静止画撮影，動画撮影のうちの少なくとも一方の機能が付加されたことを特徴とするデジタル機器。
【請求項７】
デジタルカメラ，車載カメラ又は画像入力機能付き携帯端末であることを特徴とする請求項６記載のデジタル機器。
【発明の詳細な説明】
【技術分野】
【０００１】
本発明は、撮像レンズに関するものである。更に詳しくは、被写体の映像を撮像素子（例えば、ＣＣＤ(Charge Coupled Device)型イメージセンサ，ＣＭＯＳ(Complementary Metal-Oxide Semiconductor)型イメージセンサ等の固体撮像素子）で取り込む撮像光学装置と、それを搭載した画像入力機能付きデジタル機器と、撮像素子の受光面上に被写体の光学像を形成する小型の撮像レンズと、に関するものである。
【背景技術】
【０００２】
レンズ枚数の少ない撮像レンズが特許文献１，２等で提案されている。また近年、撮像素子の画素サイズの小型化が進み、それに伴い撮像レンズの大口径化が必要とされ、Ｆ２．８でも十分とは言えなくなってきている。
【先行技術文献】
【特許文献】
【０００３】
【特許文献１】特開平７−１６８０９３号公報
【特許文献２】特開２００３−１４９５４８号公報
【発明の概要】
【発明が解決しようとする課題】
【０００４】
上記特許文献１記載の撮像レンズは、フロント絞りの構成となっており、更なる大口径化を達成するには収差の取りにくい構成となっている。また、上記特許文献２記載の撮像レンズは、絞りより後ろ側が物体側から負正の並びとなっており、全体では絞りに対して凹面を向けている。このため対称性が悪く、結果として収差を悪化させている。以上のように、レンズ枚数の少ない従来の撮像レンズは大口径に十分適しているとは言いがたいものである。
【０００５】
本発明はこのような問題点に鑑みてなされたものであって、その目的は、大口径でありながら諸収差が良好に補正された４枚構成の撮像レンズを提供することにある。
【課題を解決するための手段】
【０００６】
上記目的を達成するために、第１の発明の撮像レンズは、物体側から順に、物体側に凹面を向けた負のパワーを持つ第１レンズと、正のパワーを持つ第２レンズと、絞りと、両凸の正のパワーを持つ第３レンズと、前記第３レンズに接合された負のパワーを持つ第４レンズと、から成り、以下の条件式（１）を満たすことを特徴とする。
ｎｄ２−ｎｄ１＞０．１  …（１）
ただし、
ｎｄ１：第１レンズの屈折率、
ｎｄ２：第２レンズの屈折率、
である。
【０００７】
第２の発明の撮像レンズは、上記第１の発明において、前記第１レンズと前記第２レンズとが接合されていることを特徴とする。
【０００８】
第３の発明の撮像レンズは、上記第１又は第２の発明において、以下の条件式（２）を満たすことを特徴とする。
νｄ３−νｄ４＞７  …（２）
ただし、
νｄ３：第３レンズのアッベ数、
νｄ４：第４レンズのアッベ数、
である。
【０００９】
第４の発明の撮像レンズは、上記第１〜第３のいずれか１つの発明において、以下の条件式（３）を満たすことを特徴とする。
０．８＜ｆ１２／ｆ３４＜１６  …（３）
ただし、
ｆ１２：第１レンズと第２レンズの合成焦点距離、
ｆ３４：第３レンズと第４レンズの合成焦点距離、
である。
【００１０】
第５の発明の撮像光学装置は、上記第１〜第４のいずれか１つの発明に係る撮像レンズと、撮像面上に形成された光学像を電気的な信号に変換する撮像素子と、を備え、前記撮像素子の撮像面上に被写体の光学像が形成されるように前記撮像レンズが設けられていることを特徴とする。
【００１１】
第６の発明のデジタル機器は、上記第５の発明に係る撮像光学装置を備えることにより、被写体の静止画撮影，動画撮影のうちの少なくとも一方の機能が付加されたことを特徴とする。
【００１２】
第７の発明のデジタル機器は、上記第６の発明において、デジタルカメラ，車載カメラ又は画像入力機能付き携帯端末であることを特徴とする。
【発明の効果】
【００１３】
本発明の構成を採用することにより、大口径でありながら諸収差が良好に補正された４枚構成の撮像レンズと、それを備えた撮像光学装置を実現することができる。そして、本発明に係る撮像光学装置を携帯電話，携帯情報端末等のデジタル機器に用いることによって、広帯域でも高性能の画像入力機能をデジタル機器に対しコンパクトに付加することが可能となる。
【図面の簡単な説明】
【００１４】
【図１】第１の実施の形態（実施例１）のレンズ構成図。
【図２】第２の実施の形態（実施例２）のレンズ構成図。
【図３】第３の実施の形態（実施例３）のレンズ構成図。
【図４】第４の実施の形態（実施例４）のレンズ構成図。
【図５】第５の実施の形態（実施例５）のレンズ構成図。
【図６】実施例１の収差図。
【図７】実施例２の収差図。
【図８】実施例３の収差図。
【図９】実施例４の収差図。
【図１０】実施例５の収差図。
【図１１】撮像レンズを搭載したデジタル機器の概略構成例を示す模式図。
【発明を実施するための形態】
【００１５】
以下、本発明に係る撮像レンズ等を説明する。本発明に係る撮像レンズは、撮像素子の撮像面（例えば、固体撮像素子の光電変換部）に光学像を形成するのに好適なレンズ系であり、物体側から順に、物体側に凹面を向けた負のパワーを持つ第１レンズと、正のパワーを持つ第２レンズと、絞りと、両凸の正のパワーを持つ第３レンズと、前記第３レンズに接合された負のパワーを持つ第４レンズと、から成り（パワー：焦点距離の逆数で定義される量）、以下の条件式（１）を満たすことを特徴としている。
ｎｄ２−ｎｄ１＞０．１  …（１）
ただし、
ｎｄ１：第１レンズの屈折率、
ｎｄ２：第２レンズの屈折率、
である。
【００１６】
負パワーの第４レンズが正パワーの第３レンズに接合配置されているため、軸上色収差と倍率色収差を効果的に低減することが可能である。また、負パワーの第１レンズを低屈折率材料で構成し、正パワーの第２レンズを高屈折率材料で構成すると、球面収差及び像面湾曲を小さくすることができる。条件式（１）は、主に像面湾曲、更には球面収差をより一層効果的に低減するための条件範囲を規定している。条件式（１）の下限を下回ると、球面収差が大きくなり、また、ペッツバール和の絶対値が大きくなって像面湾曲の悪化を招くことになる。
【００１７】
上記のような構成を採用することで、大口径の撮像レンズをレンズ４枚という簡単な構成で達成することができる。近年、車載カメラ等として、可視域だけでなく近赤外域も使用するナイトビューカメラ等が提案されているが、上記の構成によると良好な色収差性能が得られるため、近赤外域を含む広帯域でも良好な光学性能を確保することができる。
【００１８】
上記特徴的構成によると、大口径でありながら諸収差が良好に補正された４枚構成の撮像レンズ及びそれを備えた撮像光学装置を実現することが可能である。そして、その撮像光学装置を携帯電話，携帯情報端末等のデジタル機器に用いれば、広帯域でも高性能の画像入力機能をデジタル機器に対しコンパクトに付加することが可能となり、そのコンパクト化，高性能化，高機能化等に寄与することができる。こういった効果をバランス良く得るとともに、更に高い光学性能，小型化等を達成するための条件等を以下に説明する。
【００１９】
この撮像レンズにおいて、パワーを有する光学素子は負正正負の４枚のレンズであり、第２レンズと第３レンズとの間には絞りが配置されている。負パワーの第１レンズは物体側に凹面を向けた形状を有しており、正パワーの第３レンズは両凸形状を有しているが、正パワーの第２レンズは像側に凸面を向けた形状を有することが好ましい。物体側に凸面を向けた正パワーの第３レンズが絞りを挟んで配置されることになるので、絞りの前後の面で対称性を保ち、結果として主にコマ収差等を低減することが可能となる。
【００２０】
第３，第４レンズと同様、第１レンズと第２レンズも接合されていることが好ましい。第１レンズと第２レンズとを接合することにより、偏芯感度の低減が可能になり、面数が１面減ることで面間ゴーストの低減も可能となる。
【００２１】
以下の条件式（１ａ）を満たすことが更に望ましい。
ｎｄ２−ｎｄ１＞０．１５  …（１ａ）
この条件式（１ａ）は、前記条件式（１）が規定している条件範囲のなかでも、前記観点等に基づいた更に好ましい条件範囲を規定している。したがって、好ましくは条件式（１ａ）を満たすことにより、前述した効果をより一層大きくすることができる。
【００２２】
以下の条件式（２）を満たすことが望ましい。
νｄ３−νｄ４＞７  …（２）
ただし、
νｄ３：第３レンズのアッベ数、
νｄ４：第４レンズのアッベ数、
である。
【００２３】
条件式（２）は、軸上色収差と倍率色収差を適切に補正して低減するための条件範囲を規定している。この条件式（２）の下限を下回ると、倍率色収差，軸上色収差ともに十分な補正が困難になる。
【００２４】
以下の条件式（２ａ）を満たすことが更に望ましい。
νｄ３−νｄ４＞１０  …（２ａ）
この条件式（２ａ）は、前記条件式（２）が規定している条件範囲のなかでも、前記観点等に基づいた更に好ましい条件範囲を規定している。したがって、好ましくは条件式（２ａ）を満たすことにより、上記効果をより一層大きくすることができる。
【００２５】
以下の条件式（３）を満たすことが望ましい。
０．８＜ｆ１２／ｆ３４＜１６  …（３）
ただし、
ｆ１２：第１レンズと第２レンズの合成焦点距離、
ｆ３４：第３レンズと第４レンズの合成焦点距離、
である。
【００２６】
条件式（３）は、球面収差やコマ収差を低減するための条件範囲を規定している。この条件式（３）の下限を下回ると、絞りの前後でのパワーのバランスが崩れて、コマ収差が悪化するおそれがある。また、条件式（３）の上限を上回ると、第１レンズのパワーを十分つけることができず、球面収差が悪化してしまうおそれがある。
【００２７】
以下の条件式（３ａ）を満たすことが更に望ましい。
１．２＜ｆ１２／ｆ３４＜１０  …（３ａ）
この条件式（３ａ）は、前記条件式（３）が規定している条件範囲のなかでも、前記観点等に基づいた更に好ましい条件範囲を規定している。したがって、好ましくは条件式（３ａ）を満たすことにより、上記効果をより一層大きくすることができる。
【００２８】
本発明に係る撮像レンズは、画像入力機能付きデジタル機器（例えば携帯端末）用の撮像レンズとしての使用に適しており、これを撮像素子等と組み合わせることにより、被写体の映像を光学的に取り込んで電気的な信号として出力する撮像光学装置を構成することができる。撮像光学装置は、被写体の静止画撮影や動画撮影に用いられるカメラの主たる構成要素を成す光学装置であり、例えば、物体（すなわち被写体）側から順に、物体の光学像を形成する撮像レンズと、その撮像レンズにより形成された光学像を電気的な信号に変換する撮像素子と、を備えることにより構成される。そして、撮像素子の受光面（すなわち撮像面）上に被写体の光学像が形成されるように、前述した特徴的構成を有する撮像レンズが配置されることにより、小型・低コストで高い性能を有する撮像光学装置やそれを備えたデジタル機器を実現することができる。
【００２９】
画像入力機能付きデジタル機器の例としては、デジタルカメラ，ビデオカメラ，監視カメラ，車載カメラ，ナイトビューカメラ，テレビ電話用カメラ等のカメラが挙げられ、また、パーソナルコンピュータ，携帯端末（例えば、携帯電話，モバイルコンピュータ等の小型で携帯可能な情報機器端末），これらの周辺機器（スキャナー，プリンター等），その他のデジタル機器等に内蔵又は外付けされるカメラが挙げられる。これらの例から分かるように、撮像光学装置を用いることによりカメラを構成することができるだけでなく、各種機器に撮像光学装置を搭載することによりカメラ機能を付加することが可能である。例えば、カメラ付き携帯電話等の画像入力機能付きデジタル機器を構成することが可能である。
【００３０】
図１１に、画像入力機能付きデジタル機器の一例として、デジタル機器ＤＵの概略構成例を模式的断面で示す。図１１に示すデジタル機器ＤＵに搭載されている撮像光学装置ＬＵは、物体（すなわち被写体）側から順に、物体の光学像（像面）ＩＭを形成する撮像レンズＬＮ（ＡＸ：光軸）と、平行平板ＰＴ（撮像素子ＳＲのカバーガラス；必要に応じて配置される光学的ローパスフィルタ，赤外カットフィルタ等の光学フィルタ等に相当する。）と、撮像レンズＬＮにより受光面（撮像面）ＳＳ上に形成された光学像ＩＭを電気的な信号に変換する撮像素子ＳＲと、を備えている。この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して着脱自在又は回動自在に構成することが可能である。
【００３１】
撮像レンズＬＮは、前述したように、物体側より順に第１〜第４レンズから成る単焦点の４枚構成になっており、撮像素子ＳＲの受光面ＳＳ上に光学像ＩＭを形成する構成になっている。撮像素子ＳＲとしては、例えば複数の画素を有するＣＣＤ型イメージセンサ，ＣＭＯＳ型イメージセンサ等の固体撮像素子が用いられる。撮像レンズＬＮは、撮像素子ＳＲの光電変換部である受光面ＳＳ上に被写体の光学像ＩＭが形成されるように設けられているので、撮像レンズＬＮによって形成された光学像ＩＭは、撮像素子ＳＲによって電気的な信号に変換される。
【００３２】
デジタル機器ＤＵは、撮像光学装置ＬＵの他に、信号処理部１，制御部２，メモリ３，操作部４，表示部５等を備えている。撮像素子ＳＲで生成した信号は、信号処理部１で所定のデジタル画像処理や画像圧縮処理等が必要に応じて施され、デジタル映像信号としてメモリ３（半導体メモリ，光ディスク等）に記録されたり、場合によってはケーブルを介したり赤外線信号等に変換されたりして他の機器に伝送される（例えば携帯電話の通信機能）。制御部２はマイクロコンピュータから成っており、撮影機能（静止画撮影機能，動画撮影機能等），画像再生機能等の機能の制御；フォーカシングのためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリ３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００３３】
次に、第１〜第５の実施の形態を挙げて、撮像レンズＬＮの具体的な光学構成を更に詳しく説明する。図１〜図５に、無限遠合焦状態にある撮像レンズＬＮの第１〜第５の実施の形態を光学断面でそれぞれ示す。第ｊレンズＬｊは物体側からｊ番目に位置するレンズであり、撮像レンズＬＮの像側に配置されている平行平板ＰＴは、光学的ローパスフィルタ，ＩＲカットフィルタ，撮像素子ＳＲのカバーガラス等を想定したものである。
【００３４】
撮像レンズＬＮの第１の実施の形態（図１）は、物体側から順に、負パワーの第１レンズＬ１と、正パワーの第２レンズＬ２と、正パワーの第３レンズＬ３と、負パワーの第４レンズＬ４と、から構成されており、レンズ面は全て球面であり、第１レンズＬ２と第３レンズＬ３との間には開口絞りＳＴが配置されている。第１レンズＬ１は両凹の負レンズであり、第２レンズＬ２は両凸の正レンズであり、第３レンズＬ３は両凸の正レンズであり、第４レンズＬ４は両凹の負レンズである。なお、第４レンズＬ４と像面ＩＭとの間には、撮像素子ＳＲのカバーガラスに相当する平行平板ＰＴが配置されている。
【００３５】
撮像レンズＬＮの第２の実施の形態（図２）は、物体側から順に、負パワーの第１レンズＬ１と、正パワーの第２レンズＬ２と、正パワーの第３レンズＬ３と、負パワーの第４レンズＬ４と、から構成されており、レンズ面は全て球面であり、第１レンズＬ２と第３レンズＬ３との間には開口絞りＳＴが配置されている。第１レンズＬ１は両凹の負レンズであり、第２レンズＬ２は両凸の正レンズであり、第３レンズＬ３は両凸の正レンズであり、第４レンズＬ４は物体側に凹の負メニスカスレンズである。なお、第４レンズＬ４と像面ＩＭとの間には、撮像素子ＳＲのカバーガラスに相当する平行平板ＰＴが配置されている。
【００３６】
撮像レンズＬＮの第３の実施の形態（図３）は、物体側から順に、負パワーの第１レンズＬ１と、正パワーの第２レンズＬ２と、正パワーの第３レンズＬ３と、負パワーの第４レンズＬ４と、から構成されており、レンズ面は全て球面であり、第１レンズＬ２と第３レンズＬ３との間には開口絞りＳＴが配置されている。第１レンズＬ１は両凹の負レンズであり、第２レンズＬ２は両凸の正レンズであり、第３レンズＬ３は両凸の正レンズであり、第４レンズＬ４は両凹の負レンズである。なお、第４レンズＬ４と像面ＩＭとの間には、撮像素子ＳＲのカバーガラスに相当する平行平板ＰＴが配置されている。
【００３７】
撮像レンズＬＮの第４の実施の形態（図４）は、物体側から順に、負パワーの第１レンズＬ１と、正パワーの第２レンズＬ２と、正パワーの第３レンズＬ３と、負パワーの第４レンズＬ４と、から構成されており、レンズ面は全て球面であり、第１レンズＬ２と第３レンズＬ３との間には開口絞りＳＴが配置されている。第１レンズＬ１は両凹の負レンズであり、第２レンズＬ２は両凸の正レンズであり、第３レンズＬ３は両凸の正レンズであり、第４レンズＬ４は両凹の負レンズである。なお、第４レンズＬ４と像面ＩＭとの間には、撮像素子ＳＲのカバーガラスに相当する平行平板ＰＴが配置されている。
【００３８】
撮像レンズＬＮの第５の実施の形態（図５）は、物体側から順に、負パワーの第１レンズＬ１と、正パワーの第２レンズＬ２と、正パワーの第３レンズＬ３と、負パワーの第４レンズＬ４と、から構成されており、レンズ面は全て球面であり、第１レンズＬ２と第３レンズＬ３との間には開口絞りＳＴが配置されている。第１レンズＬ１は物体側に凹の負メニスカスレンズであり、第２レンズＬ２は像側に凸の正メニスカスレンズであり、第３レンズＬ３は両凸の正レンズであり、第４レンズＬ４は物体側に凹の負メニスカスレンズである。なお、第４レンズＬ４と像面ＩＭとの間には、撮像素子ＳＲのカバーガラスに相当する平行平板ＰＴが配置されている。
【実施例】
【００３９】
以下、本発明を実施した撮像レンズの構成等を、実施例のコンストラクションデータ等を挙げて更に具体的に説明する。ここで挙げる実施例１〜５（ＥＸ１〜５）は、前述した第１〜第５の実施の形態にそれぞれ対応する数値実施例であり、第１〜第５の実施の形態を表すレンズ構成図（図１〜図５）は、対応する実施例１〜５のレンズ断面形状，レンズ配置等をそれぞれ示している。
【００４０】
各実施例のコンストラクションデータでは、面データとして、左側の欄から順に、面番号ｉ，曲率半径ｒ（ｍｍ），軸上面間隔ｄ（ｍｍ），ｄ線（波長５８７．５６ｎｍ）に関する屈折率ｎｄ，ｄ線に関するアッベ数ｖｄを示す。また表１に、各実施例の各種データ及び条件式対応値を示す。表１では、各種データとして、全系の焦点距離（ｆ，ｍｍ），Ｆナンバー（ＦＮｏ．），半画角（ω，°），最大像高（Ｙ’，ｍｍ），バックフォーカス（ＢＦ，ｍｍ），レンズ全長（ＴＬ，ｍｍ）を示す。また、単レンズデータとして、各レンズＬ１〜Ｌ４の焦点距離（ｆ１，ｆ２，ｆ３，ｆ４；ｍｍ）を示し、条件式（３）の関連データとして、第１，第２レンズの合成焦点距離（ｆ１２，ｍｍ）；第３，第４レンズの合成焦点距離（ｆ３４，ｍｍ）を示す。なお、ここで使っているバックフォーカスＢＦは平行平板ＰＴの像側面から像面ＩＭまでの距離であり（平行平板ＰＴの像側面から撮像面ＳＳまでの距離：全実施例において０．２ｍｍ）、レンズ全長ＴＬはレンズ最前面から像面ＩＭまでの距離である。
【００４１】
図６〜図１０は、実施例１〜５（ＥＸ１〜５）の収差図（物体距離：∞）である。図６〜図１０のそれぞれにおいて、（Ａ）は球面収差図、（Ｂ）は非点収差図、（Ｃ）は歪曲収差図である。球面収差図（Ａ）は、実線で示すｄ線（波長５８７．５６ｎｍ）に対する球面収差量、一点鎖線で示すＣ線（波長６５６．２７ｎｍ）に対する球面収差量、破線で示すｇ線（波長４３５．８４ｎｍ）に対する球面収差量を、それぞれ近軸像面からの光軸ＡＸ方向のズレ量（単位：ｍｍ）で表しており、縦軸は瞳への入射高さをその最大高さで規格化した値（すなわち相対瞳高さ）を表している。非点収差図（Ｂ）において、破線Ｔはｄ線に対するタンジェンシャル像面、実線Ｓはｄ線に対するサジタル像面を、近軸像面からの光軸ＡＸ方向のズレ量（単位：ｍｍ）で表しており、縦軸は像高（ＩＭＧ  ＨＴ，単位：ｍｍ）を表している。歪曲収差図（Ｃ）において、横軸はｄ線に対する歪曲（単位：％）を表しており、縦軸は像高（ＩＭＧ  ＨＴ，単位：ｍｍ）を表している。なお、像高ＩＭＧ  ＨＴの最大値は、像面ＩＭにおける最大像高Ｙ’（撮像素子ＳＲの撮像面ＳＳの対角長の半分）に相当する。
【００４２】
実施例１
単位：mm
面データ
i               r         d         nd           vd
1             -3.468      1.468     1.54814     45.82
2             21.928      3.500     1.88300     40.81
3             -6.396      0.100
4(絞り)           ∞      0.100
5              5.286      3.091     1.80610     33.27
6             -4.056      2.482     1.94595     17.98
7             42.184      2.411
8(PT)             ∞      0.400     1.51680     64.20
9                 ∞      0.229
10(像面)          ∞
【００４３】
実施例２
単位：mm
面データ
i               r         d         nd           vd
1             -3.569      1.296     1.74950     35.04
2            111.593      3.008     1.88300     40.81
3             -5.663      0.101
4(絞り)           ∞      0.100
5              5.419      3.244     1.80610     33.27
6             -3.812      2.482     1.94595     17.98
7            -34.742      2.925
8(PT)             ∞      0.400     1.51680     64.20
9                 ∞      0.255
10(像面)          ∞
【００４４】
実施例３
単位：mm
面データ
i               r         d         nd           vd
1             -4.053      1.000     1.48749     70.44
2             11.717      2.552     1.88300     40.81
3             -7.518      1.187
4(絞り)           ∞      0.137
5              5.323      3.500     2.00100     29.13
6             -2.934      2.482     1.94595     17.98
7            719.018      0.502
8(PT)             ∞      0.400     1.51680     64.20
9                 ∞      0.297
10(像面)          ∞
【００４５】
実施例４
単位：mm
面データ
i               r         d         nd           vd
1             -3.417      2.520     1.48749     70.44
2              8.748      2.823     1.88300     40.81
3             -7.278      0.100
4(絞り)           ∞      0.100
5              4.605      3.176     1.74400     44.72
6             -3.788      2.482     1.94595     17.98
7              9.590      1.844
8(PT)             ∞      0.400     1.51680     64.20
9                 ∞      0.228
10(像面)          ∞
【００４６】
実施例５
単位：mm
面データ
i               r         d         nd           vd
1             -3.870      1.278     1.60311     60.69
2             -8.320      2.310     1.84666     23.78
3             -5.819      0.100
4(絞り)           ∞      0.100
5              6.327      3.265     1.80611     40.73
6             -4.048      2.482     1.94595     17.98
7            -16.086      3.746
8(PT)             ∞      0.400     1.51680     64.20
9                 ∞      0.280
10(像面)          ∞
【００４７】
【表１】
2013120193.tif 000003
【符号の説明】
【００４８】
ＤＵ    デジタル機器
ＬＵ    撮像光学装置
ＬＮ    撮像レンズ
Ｌ１〜Ｌ４    第１〜第４レンズ
ＳＴ    開口絞り（絞り）
ＳＲ    撮像素子
ＳＳ    受光面（撮像面）
ＩＭ    像面（光学像）
ＡＸ    光軸
１    信号処理部
２    制御部
３    メモリ
４    操作部
５    表示部
【図１】
2013120193.tif 000004
【図２】
2013120193.tif 000005
【図３】
2013120193.tif 000006
【図４】
2013120193.tif 000007
【図５】
2013120193.tif 000008
【図６】
2013120193.tif 000009
【図７】
2013120193.tif 000010
【図８】
2013120193.tif 000011
【図９】
2013120193.tif 000012
【図１０】
2013120193.tif 000013
【図１１】
2013120193.tif 000014